(57)【特許請求の範囲】
【請求項１】
ハウジングと、このハウジング内に設けられ、流入口、流出口および弁体を有する水栓本体と、この水栓本体の流出口から送出可能な水の流量を調整するための流量調整ハンドルと、この流量調整ハンドルの回動操作を前記弁体に伝達するための伝達機構と、前記水栓本体の流出口に固定され、給水ホースの上流端に設けられた継手部材が着脱自在である継手部とを備え、前記水栓本体の前記流入口が内部に挿入された状態の取付台の筒部と、この流入口の上流側に設けられ、前記流入口に水を供給するための供給管との接続に、可撓管を用いてある水道用コンセントであって、
前記可撓管は、可撓管本体と、この可撓管本体の下流側に固定された一方の継手部と、前記可撓管本体の上流側に固定された他方の継手部とからなり、各継手部は、一端部にフランジ部を有し、他端部が前記可撓管本体内に挿入された状態で固定されており、
また、前記筒部は雄ねじ部を有する一方、
前記可撓管と前記筒部との接続には、ソケットおよび抜け止め部材が用いられ、
前記ソケットは、
前記雄ねじ部に螺着可能な雌ねじ部を下流端に有するとともに、前記一方の継手部の内部に挿入可能な小径部を上流端に有し、さらに、前記小径部を前記一方の継手部の内部に挿入したときに前記一方の継手部の前記フランジ部に当接するフランジ部を前記雌ねじ部と前記小径部の間に有するとともに、
前記ソケットから前記一方の継手部が外れるのを防止するため前記抜け止め部材は、当接状態の前記両フランジ部を係止させるよう構成されており、
また、前記供給管は、下流端に形成された雄ねじ部を有する一方、
前記他方の継手部の前記フランジ部に係止された袋ナットを設け、
前記可撓管と前記供給管とを接続するため前記供給管の前記雄ねじ部に前記袋ナットが螺着可能に構成されていることを特徴とする水道用コンセント。
【請求項２】
前記可撓管本体と前記筒部との接続が、前記ソケットの前記雌ねじ部を前記筒部の前記雄ねじ部に螺着させた後、前記ソケットの前記小径部を前記一方の継手部の内部に挿入し、前記ソケットの前記フランジ部と前記一方の継手部のフランジ部とを前記抜け止め部材に設けたスリット内に嵌め込んで係止させることにより行われる請求項１に記載の水道用コンセント。
【発明の詳細な説明】
【０００１】
【発明の属する技術分野】
本発明は、浄水器、食器洗い機、湯沸器、洗濯機などの機器の給水ホースへ給水できる水道用コンセントに関する。
【０００２】
【従来の技術】
本願出願人は、水道用コンセントとして、図７に示すように、ハウジング４と、このハウジング４内に設けられ、流入口５、流出口６および弁体８を有する水栓本体７と、この水栓本体７の流出口６から送出可能な水の流量を調整するための流量調整ハンドル９と、この流量調整ハンドル９の回動操作を前記弁体８に伝達するための伝達機構１０と、前記水栓本体７の流出口６に固定され、給水ホース（図示せず）の上流端に設けられた継手部材（図示せず）が着脱自在である継手部１１とを備えたものを開発中である。
【０００３】
上記水道用コンセントでは、前記ハウジング４に対して水栓本体７を固定するために、前記ハウジング４の底面に固定することが可能であり、かつ前記水栓本体７の流入口５を連結することが可能である取付台１４が用いられる。そして、この取付台１４の真下から、前記流入口５（水道用コンセント）に水または湯を供給するための供給管Ｓが接続される。
【０００４】
【発明が解決しようとする課題】
しかし、上記のような水道用コンセントでは、前記取付台１４と供給管Ｓとの接続においては、取付台１４の軸心と供給管Ｓの軸心とが同一直線上にある場合には問題が無かったが、前記取付台１４に対して前記供給管Ｓをその真下から接続することが難しい場合、たとえば取付台１４に対して供給管Ｓを斜めから接続した場合に、図８（Ａ）に示すように、壁Ｗに所定の角度で取り付けられた水道用コンセントのハウジング４に対して水栓本体７が歪んだ状態で固定されたり、図８（Ｂ）に示すように、ハウジング４および水栓本体７のいずれもが壁Ｗに対して歪んだ状態で取り付けられたりするというおそれがあった。
【０００５】
本発明は上述の事柄に留意してなされたもので、その目的は、壁などの所定位置に確実にかつ簡単に取り付けることができる水道用コンセントを提供することである。
【０００６】
【課題を解決するための手段】
上記目的を達成するために、本発明の水道用コンセントは、ハウジングと、このハウジング内に設けられ、流入口、流出口および弁体を有する水栓本体と、この水栓本体の流出口から送出可能な水の流量を調整するための流量調整ハンドルと、この流量調整ハンドルの回動操作を前記弁体に伝達するための伝達機構と、前記水栓本体の流出口に固定され、給水ホースの上流端に設けられた継手部材が着脱自在である継手部とを備え、前記水栓本体の前記流入口が内部に挿入された状態の取付台の筒部と、この流入口の上流側に設けられ、前記流入口に水を供給するための供給管との接続に、可撓管を用いてある水道用コンセントであって、
前記可撓管は、可撓管本体と、この可撓管本体の下流側に固定された一方の継手部と、前記可撓管本体の上流側に固定された他方の継手部とからなり、各継手部は、一端部にフランジ部を有し、他端部が前記可撓管本体内に挿入された状態で固定されており、
また、前記筒部は雄ねじ部を有する一方、
前記可撓管と前記筒部との接続には、ソケットおよび抜け止め部材が用いられ、
前記ソケットは、
前記雄ねじ部に螺着可能な雌ねじ部を下流端に有するとともに、前記一方の継手部の内部に挿入可能な小径部を上流端に有し、さらに、前記小径部を前記一方の継手部の内部に挿入したときに前記一方の継手部の前記フランジ部に当接するフランジ部を前記雌ねじ部と前記小径部の間に有するとともに、
前記ソケットから前記一方の継手部が外れるのを防止するため前記抜け止め部材は、当接状態の前記両フランジ部を係止させるよう構成されており、
また、前記供給管は、下流端に形成された雄ねじ部を有する一方、
前記他方の継手部の前記フランジ部に係止された袋ナットを設け、
前記可撓管と前記供給管とを接続するため前記供給管の前記雄ねじ部に前記袋ナットが螺着可能に構成されていることを特徴としている（請求項１）。
【０００７】
また、前記可撓管本体と前記筒部との接続が、前記ソケットの前記雌ねじ部を前記筒部の前記雄ねじ部に螺着させた後、前記ソケットの前記小径部を前記一方の継手部の内部に挿入し、前記ソケットの前記フランジ部と前記一方の継手部のフランジ部とを前記抜け止め部材に設けたスリット内に嵌め込んで係止させることにより行われるとしてもよい（請求項２）。
【０００８】
上記の構成により、壁などの所定位置に確実にかつ簡単に取り付けることができる水道用コンセントを提供することができる。
【０００９】
【発明の実施の形態】
以下、この発明の実施例を、図を参照しながら説明する。
図１および図２は、本発明の第一実施例に係る水道用コンセントＤの構成を概略的に示す正面図および分解斜視図である。
水道用コンセントＤは、縦に並んだ二つの開口１，２が前面部３に形成されたハウジング４と、このハウジング４内に設けられ、水または湯の流入口５および流出口６ならびに弁体８を有する水栓本体７と、前記ハウジング４の一方の開口１に配置され、前記水栓本体７の流出口６から流出可能な水の量を調整するための流量調整操作部材であるダイヤル型の流量調整ハンドル９と、この流量調整ハンドル９の回動操作を前記弁体８に伝達するための伝達機構１０と、前記水栓本体７の流出口６に固定されるとともに前記ハウジング４の他方の開口２に配置され、給水ホースＨ（図４参照）の上流端に設けられた継手部材Ｈ’（図４参照）が着脱自在である継手部１１と、この継手部１１に対する前記継手部材Ｈ’の接続を解除するための接続解除機構１２とを備えている。
【００１０】
前記開口１，２は、正面視がほぼ円形状となるように形成されている。
【００１１】
前記前面部３は、前記開口１，２が形成されている正面視がほぼ矩形状の中央部３ａと、この中央部３ａを前部に設けられた矩形状の開口３ｃに保持する枠体３ｂとからなる。
【００１２】
前記中央部３ａの裏面側の四隅またはそのうちの三隅には、それぞれ係止片３ｄが設けられており、各係止片３ｄを前記枠体３ｂの裏面部３ｅに係合させることによって、前記中央部３ａを前記開口３ｃ内において保持することができる。
【００１３】
前記ハウジング４は、ほぼ直方体形状であり、前記前面部３と、この前面部３が着脱自在なハウジング本体１３とからなる。
【００１４】
前記ハウジング本体１３は、たとえば金属製であり、上面部１３ａ、下面部１３ｂ、背面部１３ｃおよび両側面部１３ｄ，１３ｄよりなる縦長の箱状をしており、前部には前記前面部３が装着される装着口１３ｅが形成されている。また、前記下面部１３ｂのほぼ中央には、たとえば円形状の挿通孔１３ｆが形成されており、この挿通孔１３ｆには、上側に前記水栓本体７が固定される取付台１４の下部に設けられた筒部１４ａが挿通される。
【００１５】
前記取付台１４は、前記水栓本体７をハウジング本体１３に取り付けるためのものであり、たとえば円筒形状の筒部１４ａと、この筒部１４ａの上端に形成されたフランジ部１４ｂと、このフランジ部１４の左右の後部から上方に向けて立設された立設部１４ｃ，１４ｃとからなる。そして、この取付台１４は、前記筒部１４ａをハウジング本体１３の挿通孔１３ｆに対してその上側から下方に向けて挿通させた後、前記立設部１４ｃ，１４ｃをハウジング本体１３の背面部１３ｃにネジ止めなどで固定することによって、ハウジング本体１３に取り付けられる。なお、前記筒部１４ａは、水道用コンセントＤに水または湯を供給するための供給管Ｓ（図５参照）に接続される。
【００１６】
前記流入口５は、前記取付台１４の筒部１４ａ内にＯリング５’を介して挿入され、筒部１４ａの下部から流入口５までは連通した状態となっている。
【００１７】
前記水栓本体７は、その左右両側に形成された突出部７ａ，７ａが、前記取付台１４のフランジ部１４ｂにたとえばネジ止めなどで固定されることによって、取付台１４に取り付けられる。そして、前記取付台１４を介して水栓本体７が前記ハウジング本体１３に取り付けられた状態では、前記供給管Ｓからの水または湯が、前記筒部１４ａおよび流入口５を経て水栓本体７の内部に導入され、流出口６から下流側へ送出される構成となっている。
【００１８】
前記弁体８は、水栓本体７の内部に挿入され、その軸心回りに回転可能な筒体１５を有している。そして、前記流入口５から水栓本体７内に至った水は、筒体１５の側壁に形成され、流出口６に連通する貫通孔（図示せず）を経た後に流出口６から送出されるように構成されており、前記筒体１５の回動操作に伴って、流出口６と貫通孔との重なり部分の大きさが変化するため、水栓本体７内から流出口６に送出可能な水の流量も変化することになる。従って、筒体１５の回動操作を行うことにより、流出口６から送出される水の流量を調整することができる。なお、前記筒体１５の内側下部には、逆止弁１５’が取り付けられる。
【００１９】
図３および図４は、水道用コンセントＤの伝達機構１０および接続解除機構１２の構成を概略的に示す分解斜視図および縦断面図である。
前記伝達機構１０は、前記流量調整ハンドル９を用いて前記筒体１５の回動操作を行うために設けられた機構であり、前記水栓本体７の上方に突出し、かつ前記筒体１５と連動するスピンドル軸１６と、前記スピンドル軸１６の外周に形成されたアウターセレーションに噛み合うインナーセレーションを有する円筒部１７およびこの円筒部１７の外周に連設されたピニオン部１８からなる回動部材１９と、前記流量調整ハンドル９の後側に連設され、前記回動部材１９のピニオン部１８に噛み合うギヤ部材２０とからなる。
【００２０】
前記継手部１１に接続される給水ホースＨの上流端に設けられた継手部材Ｈ’としては、たとえば特願平１１−０１０１９３号の明細書、図面に記載の継手部３，４などが用いられる。なお、前記給水ホースＨの下流側には、たとえば浄水器、食器洗い機、湯沸器、洗濯機などの機器が接続される。
【００２１】
前記接続解除機構１２は、前記流量調整ハンドル９を前方に押し出すことが可能な一端部２２ａ，２２ａおよび前記継手部１１に接続される給水ホースＨの継手部材Ｈ’によって後方に押し入れることが可能な他端部２２ｂ，２２ｂを有する揺動レバー２２と、ロック解除ボタン２３およびロック手段２４からなるロック機構２５とから構成されている。
【００２２】
そして、前記接続解除機構１２を用いて前記継手部１１に対する継手部材Ｈ’の接続を解除するには、流量調整ハンドル９を閉状態とした後、前記ロック解除ボタン２３を押し、最後に流量調整ハンドル９を後側へ押し込むだけでよい。
【００２３】
前記揺動レバー２２は、継手部１１に給水ホースＨの継手部材Ｈ’が接続されていない状態では、バネ２２ｃの付勢によって、前記一端部２２ａ，２２ａが後方に下がり、他端部２２ｂ，２２ｂが前方に出た状態（以下、初期状態という）となる。そして、揺動レバー２２がこの初期状態にあるときは、前記流量調整ハンドル９が回動不能となっており、水栓本体７の流出口６から水が送出されることがない。
【００２４】
また、前記揺動レバー２２は、継手部１１に給水ホースＨの継手部材Ｈ’が接続された状態では、継手部材Ｈ’によって他端部２２ｂ，２２ｂが後方に押され、これに伴って前記一端部２２ａ，２２ａが前方に出た状態（以下、接続状態という）となる。そして、揺動レバー２２がこの接続状態にあるときは、前記流量調整ハンドル９が回動可能となり、水栓本体７の流出口６から水を送出させることが可能となる。
【００２５】
前記ロック解除ボタン２３は、前記前面部３に形成されている。そして、前記ロック手段２４は、揺動レバー２２が接続状態にあるときに流量調整ハンドル９の後側に位置するアーム２４ａを有しており、このアーム２４ａは流量調整ハンドル９が後側に引っ込むことを防止することから、前記継手部材Ｈ’は、流量調整ハンドル９を後方に押しても継手部１１から外れないようにロックされる。なお、前記ロック解除ボタン２３を押すことによって、流量調整ハンドル９の後側に位置していたロック手段２４のアーム２４ａが退き、ロック手段２４による継手部材Ｈ’のロックは解除される。
【００２６】
次に、上記の構成からなる水道用コンセントＤの動作について説明する。
継手部１１に給水ホースＨの継手部材Ｈ’が接続されていない状態では、前記揺動レバー２２は初期状態となっており、閉状態の流量調整ハンドル９を回動操作することができないようになっている。従って、操作ミスなどによって流出口６から不意に水が送出されるなどの事故が確実に防止されることとなる。
【００２７】
そして、前記継手部１１に継手部材Ｈ’を接続すると、前記揺動レバー２２は接続状態となり、流量調整ハンドル９の回動操作を行うことができるようになるため、流出口６から送出する水の流量を流量調整ハンドル９を用いて調整するとが可能となる。
【００２８】
継手部１１に対する継手部材Ｈ’の接続を解除するには、まず、流量調整ハンドル９を閉状態とし、ロック解除ボタン２３を押した後、流量調整ハンドル９を後方へ押し込むだけでよい。このような構成により、前記流出口６から水が送出されているときに、継手部１１から継手部材Ｈ’が外れることなく、水漏れ事故などを未然に防ぐことができる。
【００２９】
図５は、水道用コンセントＤが設置された状態の構成を概略的に示す縦断面図である。  上記の構成からなる水道用コンセントＤは、前記ハウジング４の前面部３が壁Ｗの前面とほぼ面一となるように配置された状態で取り付けられる。また、前記ハウジング本体１３の左右両側には、前後方向において自在に位置決め可能であるはさみ板２６が設けられており、このはさみ板２６，２６と前記前面部３の枠体３ｂとで壁Ｗをはさみこむことで、水道用コンセントＤが壁Ｗに対して固定される。
【００３０】
そして、水道用コンセントＤの流入口５の上流側に設けられた供給管Ｓと、流入口５が内部に挿入された状態の取付台１４の筒部１４ａとの接続には、可撓管２７が用いられている。
【００３１】
前記可撓管２７は、可撓管本体２８と、この可撓管本体２８の両端に設けられ、一端部にフランジ部２９ａを有し、他端部が前記可撓管本体２８内に挿入された状態で固定されるほぼ筒状の継手部２９，２９とからなる。そして、可撓管２７と前記供給管Ｓとの接続は、袋ナット３０によって行われる。
【００３２】
そして、可撓管２７と前記筒部１４ａとの接続には、ソケット３１および抜け止め部材３２が用いられる。
【００３３】
前記ソケット３１は、ほぼ筒状の部材であり、前記筒部１４ａの下方に連設された雄ねじ部１４ｄに螺着可能な雌ねじ部３１ａを上部に有し、フランジ部３１ｂを中央部に有し、前記継手部２９の内部に挿入可能な小径部３１ｃを下部に有している。
【００３４】
前記抜け止め部材３２は、たとえば特願平１１−２９３９６４号の明細書、図面に記載の抜け止め部材８であり、中央部にスリット３３を有する平面視がほぼ円弧状の二つの挟持部（図示せず）と、挟持部をつなぐ抜け止め部材本体（図示せず）とからなる。
【００３５】
そして、ソケット３１の雌ねじ部３１ａを前記雄ねじ部１４ｄに螺着させた後、ソケット３１の小径部３１ｃを継手部２９の内部に挿入し、ソケット３１のフランジ部３１ｂと継手部２９のフランジ部２９ａとを抜け止め部材３２のスリット３３内に嵌め込んで係止させることにより、可撓管２７と筒部１４ａとが接続される。なお、３４はカバーであり、抜け止め部材３２が不意に抜けたりすることを防止するためのものである。
【００３６】
上記の構成からなる水道用コンセントＤでは、前記筒部１４ａと供給管Ｓとの間、すなわち流入口５と供給管Ｓとの間に可撓管２７を設けたことから、たとえば供給管Ｓが水道用コンセントＤの真下に配置されておらず、供給管Ｓの軸心方向と流入口５の軸心方向とが一致していない場合であっても、可撓管２７によって筒部１４ａと供給管Ｓとを簡単に接続できることから、壁Ｗなどの所定位置に確実にかつ簡単に取り付けることができる。
【００３７】
【００３８】
図６は、供給管Ｓの接続前および接続後における参考例の水道用コンセントＤ2 の構成を概略的に示す縦断面図である。なお、上記第一実施例に示したものと同一構造の部材については、同じ符号を付し、その説明を省略する。
水道用コンセントＤ2 は、上記第一実施例の水道用コンセントＤに比して、取付台１４の筒部１４ａと供給管Ｓとの接続に、可撓管２７を用いておらず、後述する接続機構３５を用いている点で異なる。その他の構成については同じであることから、その説明を省略する。
【００３９】
前記接続機構３５は、前記筒部１４ａの下方に連設され、ほぼ筒状であり、外周面に雄ねじ部３６ａが形成されているとともに、下端側の内壁が、下側ほど広がる曲面状に形成された凹入部３６ｂとなっている第一部材３６と、外周面が、前記第一部材３６の凹入部３６ｂに対して、向きを変えてもほぼ密接させることができる曲面状（たとえばほぼ球面状）に形成された凸部３７ａを上端部に有し、中央部にフランジ部３７ｂを有するほぼ筒状の第二部材３７と、前記第一部材３６の雄ねじ部３６ａに螺着可能な雌ねじ部３８ａを有し、前記第一部材３６および第二部材３７を連結することが可能な袋ナット３８とからなる。
【００４０】
前記袋ナット３８は、前記第一部材３６の雄ねじ部３６ａに螺合する雌ねじ部３８ａと、前記第二部材３７の凸部３７ａが抜けない程度の大きさであり、かつ内周面が、前記凸部３７ａが向きを変えてもその外周面をほぼ密接した状態で保持できるような曲面状に形成された開口３８ｂとを有している。
【００４１】
上記の構成からなる接続機構３５では、前記第一部材３６と第二部材３７との連結角度をある範囲において自由に調整することができる。
【００４２】
なお、前記第二部材３７と供給管Ｓとの接続は、両端部に雌ねじ部３９ａ，３９ａを有する筒部材３９によって行われる。すなわち、第二部材３７と筒部材３９との接続は、第二部材３７の上流端に形成された雄ねじ部３７ｃと筒部材３９の一方の雌ねじ部３９ａとの螺着によって行われ、筒部材３９と供給管Ｓとの接続は、筒部材３９の他方の雌ねじ部３９ａと供給管Ｓの下流端に形成された雄ねじ部Ｓａとの螺着によって行われる。
【００４３】
上記の構成からなる水道用コンセントＤ2 では、前記筒部１４ａと供給管Ｓとの間、すなわち流入口５と供給管Ｓとの間に接続機構３５を設けたことから、たとえば供給管Ｓが水道用コンセントＤの真下に配置されておらず、供給管Ｓの軸心方向と流入口５の軸心方向とが一致していない場合であっても、接続機構３５によって筒部１４ａと供給管Ｓとを簡単に接続できることから、壁Ｗなどの所定位置に確実にかつ簡単に取り付けることができる。
【００４４】
【発明の効果】
以上説明したように本発明によれば、壁などの所定位置に確実にかつ簡単に取り付けることができる水道用コンセントを提供することができる。
【図面の簡単な説明】
【図１】  本発明の第一実施例に係る水道用コンセントの構成を概略的に示す正面図である。
【図２】  上記実施例の構成を概略的に示す分解斜視図である。
【図３】  上記実施例における伝達機構および接続解除機構の構成を概略的に示す分解斜視図である。
【図４】  上記実施例における伝達機構および接続解除機構の構成を概略的に示す縦断面図である。
【図５】  上記実施例の構成を概略的に示す縦断面図である。
【図６】  供給管の接続前における参考例の水道用コンセントの構成を概略的に示す縦断面図である。
【図７】  先行の水道用コンセントの構成を概略的に示す縦断面図である。
【図８】  （Ａ）は、ハウジングに対して水栓本体が歪んだ状態で固定された上記先行の水道用コンセントの構成を概略的に示す縦断面図であり、（Ｂ）は、ハウジングおよび水栓本体が壁に対して歪んだ状態で取り付けられた上記先行の水道用コンセントの構成を概略的に示す縦断面図である。
【符号の説明】
４…ハウジング、５…流入口、６…流出口、７…水栓本体、８…弁体、９…流量調整ハンドル、１０…伝達機構、１１，２９…継手部、１４…取付台、１４ａ…筒部、１４ｄ…雄ねじ部、２７…可撓管、２８…可撓管本体、２９ａ，３１ｂ…フランジ部、３０…袋ナット、３１…ソケット、３１ａ…雌ねじ部、３１ｃ…小径部、３２…抜け止め部材、Ｄ…水道用コンセント、Ｈ…給水ホース、Ｈ’…継手部材、Ｓ…供給管。
【図１】
0004493791.tif 000002
【図２】
0004493791.tif 000003
【図３】
0004493791.tif 000004
【図４】
0004493791.tif 000005
【図５】
0004493791.tif 000006
【図６】
0004493791.tif 000007
【図７】
0004493791.tif 000008
【図８】
0004493791.tif 000009